(57)【要約】      （修正有）【課題】織布や不織布を用いて作られたマスク本体の、左右の側端辺の夫々に、耳掛紐を取付けたものにおいて、鼻部の隆起形状に忠実に倣って密着させ、フィット感をより向上させたマスクを提供する。【解決手段】織布や不織布を用いて作られ、口および鼻孔を覆うに足る大きさと形状を備えたマスク本体の側端辺の夫々に、耳掛紐を取付けたマスクであって、可撓性を備えるアタッチメントを、前記マスク本体裏面の上縁部近傍に付着してなることを特徴とする。【選択図】図１
0003112218.tif 000002
【実用新案登録請求の範囲】
【請求項１】
織布や不織布を用いて作られ、
口および鼻孔を覆うに足る大きさと形状を備えたマスク本体の側端辺の夫々に、
耳掛紐を取付けたマスクであって、
可撓性を備えるアタッチメントを、
前記マスク本体裏面の上縁部近傍に付着してなることを特徴とするマスク。
【考案の詳細な説明】
【技術分野】
【０００１】
本考案は、鼻との気密性を改良したマスクに関する。詳しくは、可撓性を備える別体のアタッチメントを、鼻の隆起形状に倣って密着させて既存のマスクの裏面に付着することにより、鼻との間の気密性を改良したマスクに関する。
【背景技術】
【０００２】
従来から、マスクには、鼻への装着感を改善するために種々の工夫がなされている。図５に示すマスクＢ１は、口および鼻孔を覆うに足る大きさと形状を備え、複数枚のガーゼ等の織布と不織布とを重ね合わせたマスク本体１１の、左右の側端辺１４、１４の夫々に、ゴム輪状の耳掛紐１２を挿通させるための紐通し部１３を設けている。そして、マスク本体１１の上縁部近傍の真中部分にＶカット状の摘み部１９を設けることによって、マスク本体１１が鼻部の隆起形状に倣って密着、フィットする様に工夫されている。
【０００３】
しかしながら、この摘み部１９は、マスク本体１１の裏面において、真中の生地を三角状に折って凹みを形成させたもので、鼻部の隆起形状との気密性、あるいは、フィット感は十分とは言えないばかりか、製造過程において複雑な作業を余儀なくされコストアップにもなる。
【０００４】
また、本出願人は、同様なマスクについて先に提案している（例えば特許文献１参照）。本提案のものを、マスクの裏面側から見た斜視図として図６に示す。このマスクＢ２は、口および鼻孔を覆うに足る大きさと形状を備え、複数枚のガーゼ等織布と不織布とを重ね合わせたマスク本体１１の、左右の側端辺１４、１４の夫々に、ゴム輪状の耳掛紐１２を挿通させるための紐通し部１３を設けている。
【０００５】
マスク本体１１の上縁部近傍には、マスクの着用状態で、顔面から隆起している鼻の形状に密着させるために、塑性変形性を備える帯板状のアタッチメント１５を取付けたものである。
【０００６】
マスクＢ２を両耳に掛けた後、マスク本体１の上縁中央部を、鼻の隆起形状に倣う様にして指先等で押圧すると、この部分に取付けてある、塑性変形性を備えるアッタチメント１５が、鼻の隆起形状に倣って屈曲されるので、この部分の気密性が確保される。しかしながら、塑性変形が十分ではないので隙間が生じ、アッタチメント１５と鼻との密着性に欠け、あるいは、気密性が劣るという難点があった。また、この塑性変形の状態を長く保持することが困難であった。
【０００７】
【特許文献１】実用新案登録第３１００６００号公報
【考案の開示】
【考案が解決しようとする課題】
【０００８】
昨今の様に、吸入感染性による悪質なウイルスが次々に発見され、季節が巡る毎に多くの人々が花粉症に苦しめられている現状を考えれば、或いは、各種の生産施設や廃棄物処理施設等で、有害な粉塵に曝さらされている人々の健康管理を考えれば、これ等の問題の最も手軽な解決手段となるマスクに関し、粉塵やウイルスの吸入阻止機能をより高めて行く必要性がある。
【０００９】
そこで、本考案の目的は、織布や不織布を用いて作られた既存のマスク本体の、左右の側端辺の夫々に、耳掛紐を取付けたものにおいて、鼻の隆起形状に忠実に倣ってマスク本体との気密性、あるいは、フィット感をより向上させて快適に装着できるマスクを提供することである。
【課題を解決するための手段】
【００１０】
上記の目的を達成するための、本考案によるマスクは、織布や不織布を用いて作られ、口および鼻孔を覆うに足る大きさと形状を備えたマスク本体の側端辺の夫々に、耳掛紐を取付けたマスクであって、可撓性を備えるアタッチメントを、前記マスク本体裏面の上縁部近傍に付着してなることを特徴とする。
【考案の効果】
【００１１】
上記の構成を備えた本考案によるマスクは、従来のマスクに比べて以下に示す様な優れた機能を備えている。即ち、マスク本体の裏面において、可撓性を備えるアタッチメントを上縁部近傍に付着したことによって、マスクと隆起した鼻の部分との気密性が向上する。そのため、粉塵ヤウイルス等の吸入阻止機を顕著に高められる。また、アタッチメントの可撓性によって、鼻への圧迫感が軽減される。
【考案を実施するための最良の形態】
【００１２】
本考案の実施の形態を、添付図面に示した本考案の実施例に基づいて以下に具体的に説明する。
【実施例】
【００１３】
先ず、本考案の実施例について、図１〜４を参照しながら説明する。  図１は、この実施例のマスクＡ１を裏面から見た斜視図、図２は、アタッチメンが鼻に密着する状態を示す説明図、図３は、マスクＡ２を裏面から見た斜視図、図４は、マスクＡ３を裏面から見た斜視図である。
【００１４】
図１に示すマスクＡ１は、ガーゼ等の織布を重ね合わせたマスクである。口および鼻孔を覆うに足る大きさと形状を備えた既存のマスク本体１と、マスク本体１の左右の側端辺４、４の夫々に、ゴム輪状の耳掛紐２を挿通させるための紐通し部３を設けている。
【００１５】
図１示す様に、マスク本体の横幅寸法Ｌはマスクの着用状態で、その両側端辺４、４の夫々が、口の左右両端に近いもので、従来のマスクと比べて格別に異なるところはない。即ち、一般大人用としてマスク本体の横幅寸法Ｌは１３．５ｃｍに設定されたものである。
【００１６】
マスク本体１の上縁部近傍には、マスクの着用状態で、顔面から隆起している鼻の隆起形状に倣って密着させるために、可撓性を備えるアタッチメント５を付着している。付着する方法は、マスク本体１の裏面の上縁部近傍に、両面テープによってアタッチメント５を貼着する。
【００１７】
アタッチメント５は、上部において二つ山の間に谷を有する曲面と、下部において平坦面６を有し、平坦面６には両面テープを付着している。図２に示すように、アタッチメント５は、可撓性を備える海綿質体を鼻の隆起形状に合わせて二つ山の間に谷を有する様に成形され、山と山との間の凹みが鼻の隆起形状にフィットする。即ち、アタッチメント５は、山状部５１、５１との間に凹部５２を有し、この凹部５２が鼻部Ｎの隆起形状に密着する。
【００１８】
ここで、アタッチメント５の材質としては、可撓性を備える軟質の材料が好ましい。そして、弾力性に富むこと、耐油性が良いこと、耐候性が良いこと等が必要とされる。さらに、鼻へのタッチがソフトであり、圧迫感を有しないことが重要である。具体的なアタッチメント５の材質は、海綿質の可撓性を備えるもので、大分類すると、ゴム材質のもの、ウレタン材質、あるいは、プラスチック材質等があり、マスクの使用態様に応じて適宜選択すればよい。ゴム材質の種類としては、天然ゴムの他、合成のゴムクロロプレン、ブタジエン、ブチル、フッ素、シリコン、ウレタン、アクリル、ニトリル等がある。ウレタン材質としては、エーテル、エステル等がある。また、プラスチック材質としては、アクリル、塩ビ、ポリカーボネート、ポリプロピレン、ポリエチレン、ＡＢＳ、ナイロン等がある。また、アタッチメント５の材質は、ソフトタッチの可撓性を備える材料であれば、織布や不織布でもよい。以下のマスクＡ２、Ａ３についても同様である。
【００１９】
他のマスクの例で、図３に示すマスクＡ２は、ガーゼ等の織布や不織布を用いて作られ、口および鼻孔を覆うに足る大きさと形状を備えたマスク本体１において、横幅方向に襞７を複数本設け、鼻の隆起形状に倣って膨らむ様に工夫したマスクである。ここで、襞７は、折り返し部を有する二重折りのものである。マスク本体１に関しては、既存品と比べて格別に異なるところは無い。ただし、マスク本体１の上縁部近傍に可撓性を備えるアタッチメント５を貼着しているところが異なる。  
【００２０】
また、図４に示すマスクＡ３は、ガーゼ等の織布や不織布を用いて作られ、口および鼻孔を覆うに足る大きさと形状を備えたマスク本体１の一部で、上縁部近傍に折り返し状の重ね折り部８を設けたものである。マスク本体１の横幅寸法に関しては、一般大人用のＡ１のマスクよりも長く、マスク本体の横幅寸法Ｌは２０ｃｍである。そして、マスク本体１の上縁部近傍に可撓性を備えるアタッチメント５を貼着しているところが異なる。
【００２１】
以上の様に構成され、次に作用について説明する。
【００２２】
言うまでもなく、マスクに求められる機能は、身体に有害な花粉、粉塵、あるいは、ウイルス等の微粒物体が、呼気と共に体内に吸い込まれことを最大限に防ぐことである。
【００２３】
そのための対策は、マスク本体１の材質と形状に関し、顔の立体形状、特に、鼻の隆起形状に倣って密着する材料を吟味することが大事である。    
【００２４】
本考案によるマスクＡ１、Ａ２、Ａ３は、上記の対策の強化を目指して成されたものである。  即ち、これらのマスクを着用すると、図２に示した様に、アタッチメント５は、山状部５１、５１との間に凹部５２を有し、この凹部５２が鼻部Ｎの隆起形状に倣って密着する。
【００２５】
マスクＡ１、Ａ２、Ａ３を両耳に掛けた後、マスク本体１の上縁部中央を、鼻の隆起形状に沿わせる様にすると、この部分に貼着された、可撓性を備えるアタッチメント５が、鼻の隆起形状に忠実に倣って変形するので、この部分の気密性が十分に確保される。
【００２６】
特に、マスクＡ３は、マスク本体の横幅寸法Ｌを長くして、左右両頬の部分まで覆い被せることができる長さにしたもので、顔面の横からの外気を入り難くしたものである。三重に折り返した状態の重ね折り部８が、鼻の隆起形状に倣ってソフトに密着する機能を有する、所謂、ノーズカバーであるとともに、鼻の隆起形状に倣って変形するアタッチメント５を付着することにより、ニ段に外気を入り難くすることができる。身体に有害な粉塵あるいはウイルス等の微粒物体が、吸気とともに体内に吸い込まれることを、最大限に防ぐことができる。そのうえ、アタッチメント５が鼻にソフトに接触するので、圧迫感をもよおすことがない。
【００２７】
以上の実施例では、二つ山状のアッタッチメント下部の平坦面６に接着性の両面テープを付着し、マスク本体１の上縁部近傍にアタッチメント５を貼着することで説明したが、必ずしもその必要はなく以下の様な使い方でもよい。
【００２８】
アッタッチメント下部の平坦面６に接着剤を付しないものでもよい。マスク裏面の上縁部において、二つ山状のアッタッチメント５を布で包むように縫い込み、アッタッチメント５を布の中に潜り込ませることでもよい。
【００２９】
また、二つ山状のアッタッチメント下部の平坦面６をマスク裏面の上縁部近傍に縫い付けることでもよい。
【００３０】
以上の実施例では、アタッチメント５をマスクに付着する説明をしたが、必要に応じてアタッチメント５を外してマスクを使うことも可能であり、また、アタッチメント５が汗ばんできて湿り感が出てきた時には、アタッチメント５のみを随時、新品のものに交換することも可能である。
【産業上の利用可能性】
【００３１】
マスクの裏面の上縁部近傍において、アタッチメント下部の平坦面６に両面テープを使った例を説明したが、両面テープの代わりに、マジックバンド、あるいは、面ファスナー等の公知の手段によって付着することも勿論可能である。また、両面テープの代わりに、アタッチメント５の下部の平坦面６に接着剤として、アクリル系、シリコン系等の公知の接着剤を使用することも十分可能である。
【図面の簡単な説明】
【００３２】
【図１】本考案のマスクの実施例を示すもので、展開状態のマスクをその裏面から見た斜視図である。
【図２】同上、鼻部へフィットする状態を示す説明図である。
【図３】同上、他のマスクの実施例を示すもので、展開状態のマスクをその裏面から見た斜視図である。
【図４】同上、他のマスクの実施例を示すもので、展開状態のマスクをその裏面から見た斜視図である。
【図５】従来例を示すもので、マスクの裏面から見た斜視図である。
【図６】同上、マスクの裏面から見た斜視図である。
【符号の説明】
【００３３】
Ａ１、Ａ２、Ａ３  マスク
Ｂ１、Ｂ２  マスク
Ｌ  マスク本体の横幅寸法
Ｎ  鼻部
１  マスク本体
２  耳掛紐
３  紐通し部
４  側端辺
５  アタッチメント
５１  山状部
５２  凹部
６  平坦面
７  襞部
８  重ね折り部
１１  マスク本体
１２  耳掛紐
１３  紐通し部
１４  側端辺
１５  アタッチメント
１７  襞部
１９  摘み部
【図１】
0003112218.tif 000003
【図２】
0003112218.tif 000004
【図３】
0003112218.tif 000005
【図４】
0003112218.tif 000006
【図５】
0003112218.tif 000007
【図６】
0003112218.tif 000008